(57)【要約】【課題】容器より虫除け薬剤を良好に放散できるようにした虫除け用薬剤放散器を提供する。【解決手段】開口部８を形成した大きな面積の前面１及び後面２を有した六面体状の容器７を備え、この容器７の内部に虫除け薬剤を含浸させた含浸シート１０を収容して、この含浸シート１０に含浸させた虫除け薬剤を容器７の前面１及び後面２に形成した開口部８より外部に放散するようになる虫除け用薬剤放散器において、容器７の上部にひも１３及びフック１４を取り付けることによって、容器７を吊り下げ可能にすると共に、容器７の形状を横断面略Ｓ字形にした虫除け用薬剤放散器である。【選択図】図６
2011019507.tif 000002
【特許請求の範囲】
【請求項１】
開口部１１を形成した大きな面積の前面１及び後面２を有した六面体状の容器７を備え、この容器７の内部に虫除け薬剤を含浸させた含浸シート１０を収容して、この含浸シート１０に含浸させた虫除け薬剤を容器７の前面１及び後面２に形成した開口部８より外部に放散するようになる虫除け用薬剤放散器において、
容器７の上部にひも１３及びフック１４を取り付けることによって、容器７を吊り下げ可能にすると共に、容器７の形状を横断面略Ｓ字形にしたことを特徴とする虫除け用薬剤放散器。
【請求項２】
容器７の内部に収容した含浸シート１０の虫除け効果の効果消失時期を表す目盛であるインジケーター１１を、容器７の前面１及び後面２の両側より見ることができるようにしたことを特徴とする請求項１記載の虫除け用薬剤放散器。
【発明の詳細な説明】
【技術分野】
【０００１】
本発明は、虫除け薬剤を放散することにより、蚊などの害虫を寄せつけないようにする虫除け用薬剤放散器に関する。
【背景技術】
【０００２】
従来の虫除け用薬剤放散器については、特開２００８−１９４０３４号公報に開示されているようなものが知られていた。この虫除け用薬剤放散器としては、大きな面積の前面及び後面を有した縦長の直方体である六面体状の平らな形状となる容器を備え、この容器の前面及び後面とに開口部を形成したものであり、この容器の内部に虫除け薬剤を含浸させた担体を収容して、この担体に含浸させた虫除け薬剤を容器の前面及び後面に形成した開口部より外部に放散するようにしている。また、この容器の上部にはフックを取り付けることで、容器を吊り下げることができるようにしており、これにより、容器を吊り下げて、担体に含浸させた虫除け薬剤を自然に放散させることで、害虫を寄せつけないようにする。
【先行技術文献】
【特許文献】
【０００３】
【特許文献１】特開２００８−１９４０３４号公報
【発明の概要】
【発明が解決しようとする課題】
【０００４】
かかる従来の虫除け用薬剤放散器にあっては、含浸させた虫除け薬剤を自然に放散させていることから、虫除け薬剤を良好に放散することが難しいといった問題があり、これは、たとえば、吊り下げて使用したときに、容器が平らな形状となっていることから、風などを受けても容器が単に前後に揺れるだけであって、容器より虫除け薬剤をうまく放散させることができずにいた。
【０００５】
本発明は、このような問題に鑑み、容器より虫除け薬剤を良好に放散できるようにした虫除け用薬剤放散器を提供することを、その課題とするものである。
【課題を解決するための手段】
【０００６】
第一の発明は、開口部を形成した大きな面積の前面及び後面を有した六面体状の容器を備え、この容器の内部に虫除け薬剤を含浸させた含浸シートを収容して、この含浸シートに含浸させた虫除け薬剤を容器の前面及び後面に形成した開口部より外部に放散するようになる虫除け用薬剤放散器において、容器の上部にひも及びフックを取り付けることによって、容器を吊り下げ可能にすると共に、容器の形状を横断面略Ｓ字形にした虫除け用薬剤放散器である。
【０００７】
第二の発明は、第一の発明において、容器の内部に収容した含浸シートの虫除け効果の効果消失時期を表す目盛であるインジケーターを、容器の前面及び後面の両側より見ることができるようにした虫除け用薬剤放散器である。
【発明の効果】
【０００８】
第一の発明によれば、虫除け用薬剤放散器における容器の形状を横断面略Ｓ字形にしたことで、横方向３６０°のどこからの風を受けても、容易に旋回するようになり、これにより、容器の内部に収容した含浸シートから安定して虫除け薬剤を容器の外部に良好に放散させることができ、使用開始から使用終了まで常に安定して虫除け薬剤を放散し続けることができる。
【０００９】
また、第二の発明によれば、インジケーターを容器の前面及び後面の両側より見ることができるようにしたことで、当該虫除け用薬剤放散器が旋回してどのような向きになろうとも、インジケーターを容易に見ることができ、虫除け効果の効果消失時期を常に確認することができる。
【図面の簡単な説明】
【００１０】
【図１】本発明による虫除け用薬剤放散器における容器の正面図である。
【図２】本発明による虫除け用薬剤放散器における容器の背面図である。
【図３】本発明による虫除け用薬剤放散器における容器の右側面図である。
【図４】本発明による虫除け用薬剤放散器における容器の左側面図である。
【図５】本発明による虫除け用薬剤放散器における容器の平面図である。
【図６】本発明による虫除け用薬剤放散器の斜視図である。
【発明を実施するための形態】
【００１１】
本発明による虫除け用薬剤放散器の一実施形態について説明する。
虫除け用薬剤放散器としては、図１、図２、図３、図４、図５に示すように、前面１と後面２、右側面３と左側面４、上面５と下面６とをそれぞれ有した六面体状の容器７を備える。この前面１と後面２とについては縦長の長方形状の大きな面積となる面にすると共に、表面を波状にしている。また、その表面を横格子状にして開口部８を形成している。右側面３と左側面４とについては縦長の幅細状の面にしている。上面５と下面６とについては横長の幅細状で、かつ略Ｓ字形となる面にしている。このようになることで、容器７にあっては、その前面１と後面２とに開口部８を形成しつつ、その全体の形状を横断面略Ｓ字形にしている。また、容器７の上部中央と下部中央とに係合部９をそれぞれ形成している。なお、この容器７としては、前後の中間にて前後に二分割したもので、この二分割したものを嵌合することにより製作したものである。
【００１２】
そして、この容器７の内部に虫除け薬剤を含浸させた含浸シート１０を収容する。含浸シート１０としては、メッシュ状のシート材であって、この含浸シート１０に蚊などの害虫を寄せつけないようにするための虫除け薬剤を含浸させている。
【００１３】
また、容器７の中央には含浸シート１０の虫除け効果の期間を示す縦長状のインジケーター１１を装着する。このインジケーター１１は透明材料にて制作されて、その内部に液体を収容するものであり、含浸シート１０の虫除け効果が無くなる時、内部に収容した液体も減少して、あらかじめ設定した目盛における効果消失時期を表す最終ラインに到達するようになっている。このインジケーター１１にあっては、容器７の前面１と後面２の両側からそれぞれ見ることができるようにしている。
【００１４】
そして、図６に示すように、容器７の上部に形成した係合部９に略Ｈ字形の吊り下げ具１２を介してひも１３を係止すると共に、ひも１３の上端にフック１４を取り付ける。これにより、容器７を吊り下げ可能にしている。
【００１５】
このような構成となる虫除け用薬剤放散器としては、窓ぎわや玄関、ベランダや縁側、さらには屋外などにおいて吊り下げて使用する。
【００１６】
そして、虫除け用薬剤放散器を吊り下げて使用したとき、風などにより当該虫除け用薬剤放散器が旋回自在となり、特に、容器７を横断面略Ｓ字形にすることにより、横方向３６０°のどこからの風でも容易に虫除け用薬剤放散器が旋回するようになっている。これは、従来のような平らな形状となる容器の場合、風などを受けても容器が単に前後に揺れるだけであるのに対し、横断面略Ｓ字形となる容器７の場合、どこからの風でも横断面略Ｓ字形となる容器７のどこかに風を受ける仕組みになっており、これにより、常に容器７が吊り下げ位置を中心に横方向に容易に旋回するようになっている。
【００１７】
このように虫除け用薬剤放散器が風を受けると、常に容易に旋回するようになることで、容器７の内部に収容した含浸シート１０から安定して虫除け薬剤を容器の外部に良好に放散させることができ、使用開始から使用終了まで常に安定して虫除け薬剤を放散し続けることができるようにしている。
【００１８】
また、旋回自在となる虫除け用薬剤放散器にあっては、容器７の前面１と後面２の両側から見ることができるインジケーター１１を容器７に装着したことで、虫除け用薬剤放散器が旋回してどのような向きになろうとも、インジケーター１１を容易に見ることができ、虫除け効果の効果消失時期を常に確認することができるようにしている。
【符号の説明】
【００１９】
１…前面、２…後面、３…右側面、４…左側面、５…上面、６…下面、７…容器、８…開口部、９…係合部、１０…含浸シート、１１…インジケーター、１２…吊り下げ具、１３…ひも、１４…フック
【図１】
2011019507.tif 000003
【図２】
2011019507.tif 000004
【図３】
2011019507.tif 000005
【図４】
2011019507.tif 000006
【図５】
2011019507.tif 000007
【図６】
2011019507.tif 000008